(57)【特許請求の範囲】
【請求項１】
掃除用具などのためのハンドルであって、
中間点の屈曲部で、１３５°〜１６５°の間の角度をなすように接続された、直線状の下側セクション（２）および上側セクション（３）を有する細長い本体であって、前記上側セクション（３）は、ユーザの前腕に適合された構成および長さを有する拡幅面を形成する内側の凹面を有する、細長い本体、
前記下側セクション（２）の端部に設けられ、用具（１）が取り付けられた連結手段（７）、
前記下側セクション（２）の端部の前記連結手段（７）に取付られた用具（１）であって、地面又は低い面、及びユーザの頭よりも上方の天井又は高い面の、その両方に対して使用することができる用具（１）、
前記下側セクション（２）の端部に配置されたフレキシブルクランプ（４）であって、外側に開いており、対向する面の間に、前記ユーザが前腕を置いて、肘に近い領域が固定される、フレキシブルクランプ（４）、および、
前記ハンドルの上側セクション（３）のユーザの前腕に適合された構成および長さを有する拡幅面を形成する内側の凹面に対して、前記ハンドルの前記屈曲部付近で、垂直に固定された把手（５）であって、前記ハンドルが使用される時、前記上側セクション（３）の中心軸および把手（５）が鉛直面内に位置する、把手（５）を有する、ことを特徴とするハンドル。
【請求項２】
前記拡幅領域（３）及び／又は前記フレキシブルクランプ（４）の外面は、柔らかいもの、又はパッド入りであることを特徴とする、請求項１に記載の、掃除用具などのためのハンドル。
【請求項３】
前記下側セクション（２）は、伸縮式であることを特徴とする、請求項１に記載の、掃除用具などのためのハンドル。
【発明の詳細な説明】
【技術分野】
【０００１】
本発明は、発明の名称にあるように、箒又は他の掃除用具で用いられるタイプのハンドルに関するものであるが、ただし、これは、その使用のために、片手によるか、両手によるかに関わりなく、その手前側端部付近の領域が把持される細長いハンドルを使用するペイントローラ又は他のいずれかの用具のための付属品として用いることも可能である。
【背景技術】
【０００２】
現在のところ、箒、ブラシ、ローラなどのためのハンドルとして、木材、プラスチック、又は金属からなる細長い要素で形成された固定式又は伸縮式のものであって、手前側端部の領域が手で保持されるとともに、反対側の端部に用具が通常は圧力嵌め、ねじ込み、又は何らかの留め金による係止によって装着されるものが、市販されている。
【発明の概要】
【発明が解決しようとする課題】
【０００３】
それらのハンドルは、より人間工学的にするため、及びその使用に特別な終端部が必要となる様々に異なるタイプの用具に適合可能とするために、その構造及び構成は、何年もの間、ほとんど進化していない。
【課題を解決するための手段】
【０００４】
そこで、本発明の目的は、様々に異なる用具と共に使用するのに特に適したものとするための新規の構成及び構造を有するハンドルであって、これまで従来のハンドルではアクセスできなかったエリアでの用具の操作を、ユーザにとって快適かつ人間工学的な条件で可能とするものである。
【０００５】
本発明のハンドルは、中間点に屈曲部を有し、そこから２つのセクションが認められる：それらは、場合によっては伸縮式である直線状の下側セクション、及び、前腕に適合する構成及び長さを有する拡幅面を外側へと（凸面状に）形成する上側セクション、である。この手前側又は上側セクションは、その端部に、前腕の肘に近い領域に固定されるクランプの形態の終端部を有する一方、屈曲領域付近に、把手の形態の突起を有し、これにより、ハンドルの手前側領域全体がユーザの手及び腕に装着される。ハンドルの下側セクションと、延出する支持用上側ハンドルとは、１３５°〜１６５°の間の角度をなしており、このため、用具を地面又は低い面に対して使用する場合は、作業は、腕を肘の位置でわずかに曲げた状態で実施され、一方、天井又は高いエリアに対して作業を実施する場合は、腕の位置も高く上げるが、ただし、水平に対して約４５°の角度をなし、これは、そのときに操作されている用具で天井にアクセスできるように腕を完全に上げなければならない場合よりも、はるかに快適である。
【０００６】
把手は、手前側セクションの領域においてハンドルに垂直に固定された直線状グリップである。任意選択的に、略水平位置に握り拳を配置することを可能とする横グリップ、又はユーザの所望通りの配置が可能となるように長さ又は横方向の調整が可能なグリップなど、より複雑な他の代替手段が可能である。
【０００７】
拡幅領域及び／又はフレキシブルクランプの外面、すなわち、前腕に接触する全領域は、任意選択的に、ユーザがより快適であるように、柔らかいもの、又はパッド入りとされる。
【０００８】
直線状の下側セクションは、好ましくは、個人の体格又は好みに適合させるために、伸縮式である。
【０００９】
説明を補足するため、ならびに本発明の特徴についての理解を容易とする目的で、本明細書には、以下のものを例示的かつ非限定的に示す一式の図面が添付される。
【図面の簡単な説明】
【００１０】
【図１】図１は、用具が地面又は低い面に対して使用されるときの本ハンドルの立面図を示している。
【図２】図２は、天井又は高い面に対して使用されるときの使用位置にある同じ用具の図である。
【発明を実施するための形態】
【００１１】
参照図面に示すように、本発明のハンドルは、第１の直線領域（２）を有し、その後端に、掃除用具（１）に嵌合する終端部（７）が設けられている。第２の部分（３）は、第１の部分と、１７５°と１３５°の間の鈍角をなしている。ハンドルの両セクション間に形成された角度を維持する、第２の部分（３）の外面すなわち凸領域には、３つの要素が配置されている：
−  図１に示す自然に保持した位置にある場合、及び図２に示す逆さ位置にある場合の、その両方の場合のユーザの前腕に適合する中間拡幅領域。
−  第２の部分（３）の端部に配置されて、外側で開いているフレキシブルクランプ（４）であって、これは、前腕を収容するとともに、該部分を前腕に対して堅固に固定することを可能とする。
−  ハンドルの２つの部分（２−３）の間に形成される屈曲部の近くに配置される把手又はハンドグリップ（５）。
【００１２】
この構成によれば、クランプ（４）に前腕を導入し、手でグリップ（５）を握って、図１に示す位置のような自然な位置でハンドルを保持することが可能である。このようにして、用具（１）を用いて、他の手段ではアクセスできないであろう隅角部に対する掃き掃除又はアクセスが可能である。加えて、用具（１）内にある清掃用のブリッスル又は要素（６）として、角度がついた終端部が設けられた場合は、これによって操作が容易となる。
【００１３】
図２では、この用具を逆さ位置で把持した形態を示している。この場合、クランプ（４）が同じく肘の近くに固定されるようにして、ただし、上下逆さまで、グリップ（５）は終端部と上下逆に配置されるように、用具は前腕の上方に配置される。このような位置は、天井面、又は作業者の頭よりも高い面を、塗装又は清掃する場合に最適である。このようにして、腕によるすべての力は、スティックに直接伝達されて、労力が最小限になるとともに、時間が節約される。
【００１４】
箒（６）のブリッスルは、程度の差はあるものの、適切な角度が得られるようになって、これにより、椅子、テーブル、ソファなどの低い部分にアクセスできるようになると想定される。この行為を片手で行うことによって、もう一方の手で塵取りを持ち、これにより、塵を予め掻き集める必要なく、一掃きごとに塵を収集することができる。
【００１５】
本発明の特徴ならびに好ましい例示的な実施形態について十分に説明したが、適宜留意されるべきことは、記載された要素の材料、形状、サイズ、及び配置は、以下の請求項に係る発明の本質的特徴の変更を伴わない限りにおいて、変更することができるということである。
【図１】
0006350950.tif 000002
【図２】
0006350950.tif 000003